(57)【要約】【課題】  メガネフレームのフロント部両側に折畳み出来るように取付けられ、撓み変形と意匠性に優れたツルの提供。【解決手段】  ツル２にはフロント部側に複数の小さなピース８，８・・を備え、該ピース８は細い心材１４に沿って配列して取付けられ、しかも隣り合う各ピース８，８・・は互いに噛み合うように凹凸部１０，１１を両端に形成し、上記心材１４の撓み変形に伴ってピース８，８・・間にて屈曲可能としている。【選択図】    図６
2009192913.tif 000002
【特許請求の範囲】
【請求項１】
メガネフレームのフロント部両側に折畳み出来るように取付けられるツルにおいて、該ツルのフロント部側に複数の小さなピースを備え、該ピースは細い心材に沿って配列して取付けられ、しかも隣り合う各ピースは互いに噛み合うように凹凸部を両端に形成し、上記心材の撓み変形に伴ってピース間にて屈曲可能としたことを特徴とするメガネフレームのツル。
【請求項２】
ピースの中心軸に穴を貫通して設け、この穴に心材を挿通して取付けた請求項１記載のメガネフレームのツル。
【請求項３】
ピースの上側と下側にガイド溝を設け、２本の上心材と下心材の間に形成される空間にピースを嵌めると共に、ガイド溝には上下心材を嵌合した請求項１記載のメガネフレームのツル。
【請求項４】
各ピースの色彩を異にした請求項１、請求項２、又は請求項３記載のメガネフレームのツル。
【発明の詳細な説明】
【技術分野】
【０００１】
本発明は撓み変形と意匠性に優れたメガネフレームのツルに関するものである。
【背景技術】
【０００２】
メガネはフロント部と該フロント部の両側に取付けられているツルから成り、該ツルは蝶番等の継手を介して折畳むことが出来る。フロント部の形態は色々あって、一般的には、両リムを連結部材にて連結すると共にリム外側にはヨロイをロウ付けして構成している。又、リムとして上側半分のハーフリムを使用し、レンズ下側は水糸にて保持するタイプのフロント部もある。更には、リムを用いることなく両レンズを連結部材の両側に直接ネジ止めすると共に、レンズ外側にはヨロイを直接ネジ止めして構成する縁なしメガネも多用されている。
【０００３】
そして、これら各フロント部には鼻の甲に当たって支持される鼻当てパットが取付けられ、フロント部の両側から延びるツルは顔側面から耳に達し、ツル先端部に挿着している概略Ｌ形のモダンが耳に係止することが出来るように成っている。このように、メガネはフロント部とツルとで顔に安定して掛けることが出来る。
【０００４】
金属製のツルは細い線材で構成されて顔側面になじむことが出来るようにバネ性に優れた材質で構成している。又樹脂製のツルは強度を持たせるために内部に金属製の芯を埋着しているが、その太さは比較的大きく成っていて、顔側面との接触面積は金属製メガネフレームのツルに比較して大きく、メガネを掛けた際の安定性は向上する。勿論、樹脂製フレームと金属製フレームとでは掛けた際の感触が異なる。
【０００５】
ところで、ツルはメガネをより安定して掛けることが出来るように、しかも長時間着用しても痛みを感じることがないように、撓み変形する（撓る）ように成っている。金属製の細いツルは容易に撓み変形して顔側面になじむことが出来、樹脂製ツルの場合も太い割には撓むことが出来、適度な面圧が顔側面及び後頭部に作用することで、掛けたメガネは位置ズレすることなく安定する。
【０００６】
従来では、バネ蝶番と称した継手が多用されており、ツル自体のバネ特性（弾性）の他に継手構造を改良することでツルを撓ませるようにしているものも多い。図１０は一種のバネ蝶番と同じように機能するツル継手構造である。同図の（ａ）はフロント部（イ）両側に設けているヨロイ（ロ）に板バネ（ハ）を取着し、該板バネ（ハ）の先端をツル（ニ）に当接することで該ツル（ニ）にバネ力を付勢している。従って、該ツル（ニ）は継手となる軸ピン（ホ）を中心として旋回して折畳むことが出来ると共に、外方向へ押し開くことも出来る。
【０００７】
外方向へ押し開く場合には、上記板バネ（ハ）が撓み、その反力としてツル（ニ）を押し戻すバネ力が働き、その為にメガネを掛けた際に適度な押圧力が顔側面及び後頭部に作用する。同図の（ｂ）の場合には、ツル（ニ）側に板バネ（ハ）が固定され、該板バネ（ハ）の先端はヨロイ（ロ）に当っている構造であり、ツル（ニ）を外方向へ押し開くならば、該板バネ（ハ）が撓んでツル（ニ）を押し戻すバネ力が働く。
【０００８】
図１０はバネ蝶番と同じように機能するツル継手構造であるが、その他にも色々な構造が知られている。ところで、このように板バネ（ハ）を取付ける場合、メガネフレームの外観が大きく損なわれる。メガネは近眼や老眼を矯正する目的以外に、顔に掛けるものであることからファッション性が求められる。従って、同図のように板バネ（ハ）を取付けた構造ではメガネフレームの外観が大きく損なわれてしまう。
【０００９】
図１１もバネ蝶番と同じように機能するツル継手構造の従来技術である。このツル継手構造ではフロント部（イ）の両側に設けているヨロイ（ロ）にバネ性を備えたもので、ツル（ニ）を外方向へ押し広げるならば、ヨロイ（ロ）が変形する。（ａ）の場合にはヨロイ（ロ）全体が板バネで構成し、（ｂ）の場合にはヨロイ（ロ）の一部に板バネを用いている。同図に示すツル継手構造にしても、メガネフレームの外観上は好ましい形態とは言えない。
【発明の開示】
【発明が解決しようとする課題】
【００１０】
このように、従来のツル及びツル継手構造には上記のごとき問題がある。本発明が解決しようとする課題はこの問題点であり、ツル自体が撓み変形する機能を備え、又外観の向上を目的としたメガネフレームのツルを提供する。
【課題を解決するための手段】
【００１１】
本発明に係るメガネフレームのツルは、心材に複数のピースを配列して取付けた構造とし、隣り合うピースは互いに噛み合っている。すなわち、一方側に凹部を有し、他方側に凸部を形成した形状とし、隣り合う各ピースは凹部に凸部が嵌合している。ただし、配列した各ピースは心材が湾曲すればそれに伴って屈曲可能としている。
【００１２】
上記心材をガイドとしてピースは互いに噛み合って配列されるが、ピースの中心軸に設けた穴に心材が貫通する場合、又は２本の上下心材によって各ピースを挟み込む構造とする場合がある。この場合には、各ピースの上下端に心材が嵌るガイド溝を形成している。そして、ツルに取り付けられるピースの個数は限定せず、その大きさ・形状も任意である。勿論、ツル先端部には耳に係止するモダンを有している。
【発明の効果】
【００１３】
本発明に係るツルは、複数の小さいピースを心材に配列して取付けた構造としており、しかも各ピースに形成した凹凸部が互いに噛み合った連結形態を成している。従って、ツルはしなやかに撓み変形して顔側面になじむことが出来る。すなわち、心材に配列した小さい各ピースは該心材の湾曲と共に互いに屈曲することが出来る。さらに、ピースの大きさを変更することで、ツルの弾性及び撓み変形能力が自由に調整できる。
【００１４】
このように構成したツルは一般の金属製メガネフレームのツルのように細くはないが、その撓み変形能力は優れており、顔側面になじんでメガネを安定して掛けることが出来る。すなわち、樹脂製ツルに相当する太さでありながら、ツルの弾性は優れている。一方、配列した複数のピースは立体意匠を形成し、従来には存在しないツル外観が構成され、メガネフレーム全体の意匠が向上する。又、各ピースの色彩を変えることで、別のツル外観を構成することも出来る。
【実施例】
【００１５】
図１、図２、図３は本発明に係るツルを備えたメガネフレームを示す実施例であり、図１は正面図、図２は平面図、図３は側面図を夫々表している。メガネフレームとしての基本的形態は従来と同じであり、フロント部１と２本のツル２，２を有している。フロント部１はレンズが嵌るリム３，３を連結部材４にて連結し、両側にはヨロイ５，５がロウ付けされている。そして、リム３，３の内側であって、連結部材４の下方には鼻当てパット６，６が取付けられている。
【００１６】
ところで、上記ツル２，２は軸ネジ７，７を中心として旋回して折畳まれるが、該ツル２は同図に示しているように、複数の小さいピース８，８・・を有している。ピース８，８・・はツル２のフロント部側に設けられ、先端部側は一般的なツル形態と同じく概略「へ」形の樹脂製モダンを有している。
【００１７】
ところで、上記ピース８，８・・は個々に独立した部品であって、この独立したピース８，８・・が心材をガイドとして配列している。図４は上記ピース８を単独で表している具体例であり、左側端には凹部１０が、右側端には凸部１１が形成されている。そして、中心軸には穴１２が貫通して設けられ、両側端１３ａ，１３ｂは滑らかな凸状曲面を構成している。
【００１８】
そこで、隣り合う各ピース８，８・・は凹部１０，１０・・に凸部１１，１１・・が嵌合して配列され、滑らかな凸状曲面としている凸部側端面１３ｂは凹部底面２３に接し、又、滑らかな凸状曲面としている左側端１３ａは隣りのピース８の凸部底面２４に接している。従って、互いに接触している各ピース８，８・・は屈曲することが出来る。ここで、凹部底面２３及び凸部底面２４の滑らかな凸状曲面とする場合もあるが、平坦面であってもよい。
【００１９】
図５は上記ピース８，８・・がガイドされる心材１４を表している。ピース８の中心軸に貫通した穴１２に心材１４が挿通して配列される。同図の１５は前ツル片、１６は後ツル片を表し、後ツル片１６の先端部にはモダン９が挿着されている。ところで、心材１４は前ツル片１５と後ツル片１６の間に設けられ、この心材１４にピース８，８・・を取付けるには、前ツル片１５又は後ツル片１６の何れか一方を分離した状態で穴１２に挿通される。
【００２０】
そこで、心材１４の両端にはネジが形成され、前ツル片１５及び後ツル片１６に設けているネジ穴に螺合している。従って、このネジを弛めることで、前ツル片１５又は後ツル片１６を分離して取外すことが出来、所定個数のピース８，８・・を配列して取付けたところで、前ツル片１５又は後ツル片１６をネジ止めする。
【００２１】
図６は心材１４に各ピース８，８・・を配列して取付けた本発明のツル２を表している。このように構成したツル２は心材１４に配列したピース８，８・・部分の曲げ剛性は低く、その為に撓み変形することが出来る。ただし、心材１４だけの曲げ剛性ではなく、この心材１４に複数のピース８，８・・を配列して取付けることで、屈曲に伴う摩擦が発生して適度な弾性が得られる。勿論、強度は大きく向上する。
【００２２】
図７はピース８を示す他の具体例である。概略形状は前記図４のピース８と同じであって、一方側には凹部１０が、他方側には凸部１１が形成され、心材に配列して取付けられる各ピース８，８・・は互いに噛み合う。しかし、このピース８の上端と下端にはガイド溝１７ａ，１７ｂを形成しており、中心軸に穴１２を有していない。ただし、両側端１３ａ，１３ｂは滑らかな凸状曲面を構成している。
【００２３】
図８はピース８，８・・・を取付けていないツル２であり、上心材１８と下心材１９が平行を成して延び、間には空間２０を有している。上心材１８と下心材１９のフロント部側には上継手片２１と下継手片２２を設け、上下継手片２１，２２は互いに組み付けられてヨロイ５と軸ネジ７を介して連結している。そこで、ヨロイ５から取外すならば、上下継手片２１，２２は分離して開口する。
【００２４】
各ピース８，８・・は上下継手片２１，２２を開いた状態で空間２０に嵌められ、ガイド溝１７ａに上心材１８が嵌合し、ガイド溝１７ｂには下心材１９が嵌合する。図９はこの空間２０にピース８，８・・を取付けたツル２を示しているが、この部分の弾性は大きくなってツルの撓み変形は向上する。すなわち、上心材１８と下心材１９が撓み変形するならば、各ピース８，８・・は互いに屈曲することが出来る。
【図面の簡単な説明】
【００２５】
【図１】本発明に係るツルを備えたメガネフレームの正面図。
【図２】本発明に係るツルを備えたメガネフレームの平面図。
【図３】本発明に係るツルを備えたメガネフレームの側面図。
【図４】本発明に係るツルを構成するピースの具体例。
【図５】ピースが取付けられる前のツル。
【図６】本発明に係るツルを示す実施例。
【図７】本発明に係るツルを構成するピースの具体例。
【図８】ピースが取付けられる前のツル。
【図９】本発明に係るツルを示す実施例。
【図１０】従来のツル継手構造。
【図１１】従来のツル継手構造。
【符号の説明】
【００２６】
１  フロント部
２  ツル
３  リム
４  連結部材
５  ヨロイ
６  鼻当てパット
７  軸ネジ
８  ピース
９  モダン
10  凹部
11  凸部
12  穴
13  側端
14  心材
15  前ツル片
16  後ツル片
17  ガイド溝
18  上心材
19  下心材
20  空間
21  上継手片
22  下継手片
23  凹部底面
24  凸部底面
【図１】
2009192913.tif 000003
【図２】
2009192913.tif 000004
【図３】
2009192913.tif 000005
【図４】
2009192913.tif 000006
【図５】
2009192913.tif 000007
【図６】
2009192913.tif 000008
【図７】
2009192913.tif 000009
【図８】
2009192913.tif 000010
【図９】
2009192913.tif 000011
【図１０】
2009192913.tif 000012
【図１１】
2009192913.tif 000013